(57)【要約】【課題】採尿バッグの重量計測が可能な装置において、採尿バッグから尿を排出させる作業を容易化させる。【解決手段】排尿計量装置１０は、採尿バッグ１２を支持するための支持部３１を有し、支持部３１に支持された支持状態の採尿バッグ１２の重量を計量する計量部２０と、支持状態の採尿バッグ１２の排出チューブ１２ａの下方となる位置に配置された受入口３５ａを有し、排出チューブ１２ａから排出された尿を受入口３５ａから受け入れる受入部材３５と、受入部材３５で受け入れた尿が流入する液導入管５０が接続されて、液導入管５０を介して導入された尿を溜める貯留容器２１とを備えている。【選択図】図１
2018083053.tif 000002
【特許請求の範囲】
【請求項１】
採尿バッグを支持するための支持部を有し、前記支持部に支持された支持状態の採尿バッグの重量を計量する計量部と、
前記支持状態の前記採尿バッグの排出チューブの下方となる位置に配置された受入口を有し、前記排出チューブから排出された尿を前記受入口から受け入れる受入部材と、
前記受入部材で受け入れた尿が流入する液導入管が接続されて、前記液導入管を介して導入された尿を溜める貯留容器とを備えていることを特徴とする排尿計量装置。
【請求項２】
前記貯留容器内のガスを吸引するためのガス管をさらに備え、
前記ガス管を接続した吸引装置によって前記貯留容器内のガスを吸引することで、前記貯留容器内を負圧にして前記受入口から空気を吸引させることを特徴とする、請求項１に記載の排尿計量装置。
【請求項３】
前記貯留容器が満水となる手前の閉鎖水位で前記ガス管を閉鎖する閉鎖機構と、
入口が前記貯留容器において前記閉鎖水位よりも上方に開口し、出口が前記ガス管において前記閉鎖機構より下流側に接続する臨時接続管と、
前記臨時接続管を閉状態から開状態に切り替え可能な開放機構とをさらに備えていることを特徴とする、請求項２に記載の排尿計量装置。
【請求項４】
前記受入部材は、上方に向かって広がる形状に形成され、
前記受入部材は、前記支持状態の前記採尿バッグの排出チューブの下方において前記排出チューブに接触しない高さに配置されていることを特徴とする、請求項１乃至３の何れか１つに記載の排尿計量装置。
【請求項５】
前記貯留容器に接続され、前記貯留容器に向かって洗浄用の液体が流通する洗浄用主管と、
前記洗浄用主管の途中から分岐した洗浄用分岐管とをさらに備え、
前記液導入管の入口端は、前記受入部材が着脱自在に取り付けられ、
前記洗浄用分岐管の先端には、前記受入部材が取り外された状態の前記液導入管の入口端を接続可能な洗浄用コネクタが設けられていることを特徴とする、請求項１乃至４の何れか１つに記載の排尿計量装置。
【発明の詳細な説明】
【技術分野】
【０００１】
本発明は、患者の排尿量の管理等に用いられる排尿計量装置に関する。
【背景技術】
【０００２】
医療現場では、トイレに行くことが困難な患者が排尿できるように、導尿カテーテルを介して患者の尿を溜める袋状の採尿バッグが用いられている。医療スタッフは、患者の排尿量を管理し、さらに採尿バックを空にするために、採尿バッグ内の尿を定期的に計量用容器に移し替えて排尿量を量り、計量値を記録している。医療スタッフにとっては、この作業が大きな負担になっている。
【０００３】
特許文献１には、患者が排出する尿を収容する収容手段の重量を計測可能な重量計測手段を有する尿量測定装置が記載されている。この尿量測定装置は、重量測定手段によって測定された重量に基づいた患者の尿量を記憶するコンピュータを備えている。コンピュータは、患者ごとにその尿量を記憶する。
【先行技術文献】
【特許文献】
【０００４】
【特許文献１】特開２００２−２３８８７９号公報
【発明の概要】
【発明が解決しようとする課題】
【０００５】
ところで、従来の装置では、採尿バッグを空にするために、重量計測手段を用いて患者の排尿量の情報を取得した後に、重量計測手段から採尿バッグを取り外し、採尿バッグから尿を排出させる作業が必要となる。従来の装置は、患者の排尿量の管理が容易になったものの、依然として医療スタッフにとって採尿バッグから尿を排出させる作業の負担が大きい。
【０００６】
本発明は、このような事情に鑑みてなされたものであり、採尿バッグの重量計測が可能な装置において、採尿バッグから尿を排出させる作業を容易化させることを目的とする。
【課題を解決するための手段】
【０００７】
上述の課題を解決するべく、第１の発明は、採尿バッグを支持するための支持部を有し、支持部に支持された支持状態の採尿バッグの重量を計量する計量部と、支持状態の採尿バッグの排出チューブの下方となる位置に配置された受入口を有し、排出チューブから排出された尿を受入口から受け入れる受入部材と、受入部材で受け入れた尿が流入する液導入管が接続されて、液導入管を介して導入された尿を溜める貯留容器とを備えている排尿計量装置である。
【０００８】
第２の発明は、第１の発明において、貯留容器内のガスを吸引するためのガス管をさらに備え、ガス管を接続した吸引装置によって貯留容器内のガスを吸引することで、貯留容器内を負圧にして受入口から空気を吸引させる。
【０００９】
第３の発明は、第２の発明において、貯留容器が満水となる手前の閉鎖水位でガス管を閉鎖する閉鎖機構と、入口が貯留容器において閉鎖水位よりも上方に開口し、出口がガス管において閉鎖機構より下流側（ガス吸引時の下流側）に接続する臨時接続管と、臨時接続管を閉状態から開状態に切り替え可能な開放機構とをさらに備えている。
【００１０】
第４の発明は、第１乃至第３の何れか１つの発明において、受入部材は、上方に向かって広がる形状に形成され、受入部材は、支持状態の採尿バッグの排出チューブの下方において排出チューブに接触しない高さに配置されている。
【００１１】
第５の発明は、第１乃至第４の何れか１つの発明において、貯留容器に接続され、貯留容器に向かって洗浄用の液体が流通する洗浄用主管と、洗浄用主管の途中から分岐した洗浄用分岐管とをさらに備え、液導入管の入口端は、受入部材が着脱自在に取り付けられ、洗浄用分岐管の先端には、受入部材が取り外された状態の液導入管の入口端を接続可能な洗浄用コネクタが設けられている。
【発明の効果】
【００１２】
第１の発明では、採尿バッグが支持部に引っ掛けられた支持状態で、計量部が採尿バッグの重量を計量する。また、支持状態で採尿バッグの排出チューブから尿を排出させると、その排出チューブの下方の受入口から尿が受入部材に流入する。そして、受入部材に流入した尿が液導入管を通じて貯留容器に導入される。つまり、採尿バッグの重量を計量する時の支持状態で、採尿バッグから排出させた尿を貯留容器に導入することができる。従って、医療スタッフが採尿バック内の尿を手作業で容器に移し替える必要がない。第１の発明によれば、採尿バッグの重量計測が可能な装置において、採尿バッグから尿を排出させる作業を容易化させることができる。
【００１３】
第２の発明では、ガス吸引管を接続した吸引装置によって貯留容器内のガスを吸引することで、貯留容器内を負圧にして受入部材の受入口から空気を吸引させる。従って、貯留容器内を負圧しない場合に比べて、採尿バッグから受入部材に落下した尿を速やかに貯留容器に導入することができる。
【００１４】
第３の発明では、採尿バッグから貯留容器へ尿を導入している期間に、何らかの事態が生じて閉鎖機構によってガス管が閉じられた時に、開放機構によって臨時接続管を開状態に切り替えると、臨時接続管が、閉鎖機構をバイパスして貯留容器を吸引装置に連通させる。そのため、閉鎖機構によってガス管が閉じられた時に液導入管に尿が残っていたとしても、採尿バッグの出口を閉じた状態で臨時接続管を開状態に切り替えれば、液導入管に残った尿を貯留容器に導入することができる。
【００１５】
第４の発明では、上方に向かって広がる形状に形成された受入部材が、支持状態の採尿バッグの排出チューブの下方において排出チューブに接触しない高さに配置されている。そのため、採尿バッグの排出チューブが受入部材に接触して受入部材上の細菌が排出チューブに付着することを避けることができるため、採尿バッグを衛生的に継続使用することができる。
【００１６】
第５の発明では、洗浄用分岐管の洗浄用コネクタに対し、受入部材が取り外された状態の液導入管の入口端を接続することで、洗浄用分岐管を介して液導入管に洗浄用の液体を供給することができる。これにより、液導入管内を洗浄することができる。
【図面の簡単な説明】
【００１７】
【図１】排尿計量装置の概略構成図
【図２】排尿計量装置を側方から見た図
【図３】（ａ）採尿バッグから尿を排出させる動作中の図、（ｂ）貯留容器から尿を排出させる動作中の図
【図４】（ａ）液導入管を洗浄中の図、（ｂ）貯留容器を洗浄中の図
【図５】（ａ）変形例１の排尿計量装置の概略構成図、（ｂ）変形例１の排尿計量装置において異常時に臨時開放弁を開いた状態の図
【図６】変形例２の排尿計量装置の概略構成図
【図７】（ａ）変形例２の排尿計量装置において採尿バッグから尿を排出させる動作中の図、（ｂ）変形例２の排尿計量装置において貯留容器から尿を排出させる動作中の図
【図８】変形例２における他の形態の排尿計量装置の概略構成図
【発明を実施するための形態】
【００１８】
以下、図１−図４を参照しながら、本発明に係る実施形態を詳細に説明する。なお、以下の実施形態は、本発明の一例であって、本発明、その適用物、あるいはその用途の範囲を制限することを意図するものではない。
【００１９】
［１．排尿計量装置の構成について］
排尿計量装置１０は、採尿バッグ１２をフック３１に引っ掛けて支持した状態（以下、「支持状態」という。）のまま、採尿バッグ１２の計量（重量計測）と、採尿バッグ１２からの尿排出とを行うことができる装置である。排尿計量装置１０は、図１に示すように、採尿バッグ１２の重量を計量する計量装置２０（計量部）と、採尿バッグ１２から排出された尿を溜める貯留容器２１と、計量装置２０及び貯留容器２１等を収容するケーシング３０とを備えている。ケーシング３０の底面には、医療スタッフが排尿計量装置１０を容易に移動させることができるように車輪が設けられている（図２参照）。なお、図１では、ケーシング３０の一部を示している。
【００２０】
計量装置２０は、採尿バッグ１２を引っ掛けるためのフック３１（支持部）と、フック３１に対し下向きに作用する荷重を計測する重量計測部３２と、重量計測部３２による計測重量を表示する表示部３４とを備えている。重量計測部３２は、例えばロードセルを用いた重量計測装置である。重量計測部３２は、フック３１に引っ掛けられた支持状態の採尿バッグ１２の重量を計測するために用いられる。重量計測部３２の計測重量（例えば、グラムで表した重量）は、表示部３４に表示される。表示部３４は、ケーシング３０の外面に設けられた表示パネルである。
【００２１】
なお、重量計測部３２及び表示部３４は、計測重量及び尿の比重に基づいて、採尿バッグ１２内の尿の容量（例えば、ミリリットルで表した容量）を検出して表示してもよい。また、重量計測部３２は、尿排出前の採尿バッグ１２の重量から、尿排出後の採尿バッグ１２の重量を差し引くことによって、尿排出前に採尿バッグ１２に溜まっていた尿の重量を検出してもよい。また、重量計測部３２は、ロードセル以外のセンサーを用いたものであってもよい。
【００２２】
ケーシング３０の前側には、図２に示すように、フック３１が設けられている。ケーシング３０の前側の下部には、受入部材３５がフック３１の直下に配置されている。受入部材３５は、上方に向かって広がる漏斗状の部材である。受入部材３５は、支持状態の採尿バッグ１２の排出チューブ１２ａの直下となる位置に配置された受入口３５ａ（受入部材３５における上端の開口）を有し、排出チューブ１２ａから排出された尿を受入口３５ａから受け入れる。
【００２３】
受入部材３５は、支持状態の採尿バッグ１２の排出チューブ１２ａの下方において排出チューブ１２ａに接触しない高さに配置されている。具体的に、標準的な寸法の採尿バッグ１２をフック３１に引っ掛けた場合に、採尿バッグ１２の排出チューブ１２ａを下方へ垂らしても、受入部材３５は、受入口３５ａが排出チューブ１２ａの出口よりも下方に位置するように設けられている。受入部材３５の受入面（内面）は、排出チューブ１２ａの出口との間に間隔を隔てた状態となる。なお、排出チューブ１２ａが受入部材３５に接触しないように、フック３１又は受入部材３５の少なくとも一方に、高さを調節する機構を設けてもよい。
【００２４】
また、受入部材３５は、液導入管５０を介して貯留容器２１に接続されている。受入部材３５は、液導入管５０の入口端に設けられた入口側コネクタ４５に対し着脱自在に取り付けられている。入口側コネクタ４５から受入部材３５を取り外すと、後述する洗浄用コネクタ７８を入口側コネクタ４５に接続することができる。洗浄用コネクタ７８は、図２に示すように、ケーシング３０の前側に保持されたホース５７ａの先端に設けられている。
【００２５】
貯留容器２１は、尿を溜めるための密閉容器である。貯留容器２１は、容器本体と、容器本体の上部開口に着脱自在に装着された蓋部材とを備えている。容器本体の底面には、排液管５５が接続されている。排液管５５の出口には、排水カプラ５６が接続されている。
【００２６】
また、蓋部材には、液導入管５０、ガス管５１、及び、洗浄用主管５２が貫通している。貯留容器２１では、液導入管５０、ガス管５１、及び、洗浄用主管５２の各々が、内部空間の上部（本実施形態では、蓋部材の内面又は内面近傍）に開口している。液導入管５０の出口端は、外向きに開口している。また、洗浄用主管５２の出口端には、散水器６０が接続されている。ガス管５１の一端には、その一端を貯留容器２１の満水時に閉鎖するフロート弁５８が取り付けられている。また、貯留容器２１内には水位計２５が設けられている。
【００２７】
ガス管５１は、その途中の分岐箇所でガス吸引管６１とガス導入管６２とに分岐している。ガス吸引管６１とガス導入管６２は、ガス管５１の一部である。ガス吸引管６１における分岐箇所の反対端には、吸引用コネクタ６３が接続されている。ガス吸引管６１には、ガス吸引管６１を開閉する吸引側開閉弁６４が設けられている。
【００２８】
また、ガス導入管６２は、圧力タンク７０に接続されている。圧力タンク７０は、ケーシング３０に収容されている。ガス導入管６２の途中には、第１三方弁６５（切替機構）が接続されている。ガス導入管６２における圧力タンク７０と第１三方弁６５との間には圧力計７１が接続されている。また、ガス導入管６２における第１三方弁６５と分岐箇所との間には、外部のポンプを接続可能なポンプ用コネクタ７２が設けられたポンプ用接続管７３が接続されている。
【００２９】
また、第１三方弁６５には、圧力タンク７０に圧縮ガスを導入するための外部ガス導入管６６が接続されている。外部ガス導入管６６の入口には、病院の壁面に設けられたガス供給ポート（例えば、酸素供給ポート）を接続可能なガス用コネクタ６８が接続されている。外部ガス導入管６６には、ガス用コネクタ６８へ向かうガスの流れを禁止する逆止弁が接続されている。
【００３０】
第１三方弁６５は、圧力タンク７０が貯留容器２１に繋がる第１状態と、圧力タンク７０が外部ガス導入管６６に繋がる第２状態とに切り替え可能となっている。ガス供給ポートにガス用コネクタ６８を接続した状態で、第１三方弁６５を第２状態に切り替えると、ガス供給ポートからの圧縮ガスが外部ガス導入管６６を通って圧力タンク７０に流入するガス充填動作が行われる。ガス充填動作では、圧力タンク７０の内圧がガス供給ポートのガス圧に達するまで、圧縮ガスが圧力タンク７０に流入する。ガス充填動作の終了後は、ガス供給ポートからガス用コネクタ６８が取り外される。第１三方弁６５を第２状態に維持している間であっても、外部ガス導入管６６に逆止弁が設けられているため、圧力タンク７０内の圧縮ガスは放出されない。
【００３１】
第１三方弁６５を第１状態に切り替えると、圧力タンク７０内の圧縮ガスが、ガス導入管６２を介して貯留容器２１へ供給される。そうすると、圧縮ガスによって貯留容器２１内の液面が加圧され、貯留容器２１内の液体が排液管５５から排出される。なお、本実施形態では、圧力タンク７０の代わりに外部のポンプを用いることも可能である。この場合、ポンプ用コネクタ７２に接続されたポンプから貯留容器２１へ圧縮ガスが供給されて、貯留容器２１内の液面が加圧されることで、貯留容器２１内の液体が排液管５５から排出される。
【００３２】
洗浄用主管５２の入口端には、水道栓を接続可能な給水カプラ７６が接続されている。洗浄用主管５２には、入口側から順番に、逆止弁と第２三方弁７７（切替機構）が接続されている。逆止弁は、給水カプラ７６へ向かう液体の流れを禁止する。第２三方弁７７には、先端に洗浄用コネクタ７８が設けられた洗浄用分岐管５７が接続されている。洗浄用コネクタ７８は、入口側コネクタ４５に接続可能である。洗浄用分岐管５７は、下流側がホース５７ａによって構成されている。具体的に、洗浄用分岐管５７の途中には、ケーシング３０に取り付けられたホース用コネクタ５９が設けられている。ホース５７ａの一端に設けられたコネクタ７９は、ホース用コネクタ５９に着脱自在に取り付けられている。洗浄用コネクタ７８は、ホース５７ａの他端に取り付けられている。第２三方弁７７は、給水カプラ７６が貯留容器２１に繋がる第１状態と、給水カプラ７６が洗浄用コネクタ７８に繋がる第２状態とに切り替え可能となっている。
【００３３】
［２．排尿計量装置の使用方法について］
図３−４を参照しながら排尿計量装置１０の使用方法について説明する。なお、排尿計量装置１０の使用開始前は、吸引側開閉弁６４は閉状態、第１三方弁６５は第２状態、第２三方弁７７は第２状態になっているものとする。また、圧力タンク７０に圧縮ガスが蓄えられているものとする。
【００３４】
採尿バッグ１２の計量について説明する。まず、医療スタッフは、採尿バッグ１２を使用している患者がいる病室に排尿計量装置１０を移動させる。採尿バッグ１２は、患者に取り付けられた導尿カテーテル（図示省略）が接続された状態になっている。医療スタッフは、導尿カテーテルに接続された状態のままフック３１に採尿バッグ１２を引っ掛ける。そうすると、重量計測部３２は、フック３１に引っ掛けられた採尿バッグ１２の重量を計測する。重量計測部３２の計測重量は、表示部３４に表示される。医療スタッフは、表示部３４に表示された重量を記録用紙に記入することができる。なお、各患者について計測日ごとに重量計測部３２の計測重量をメモリーに記録するように排尿計量装置１０を構成してもよい。
【００３５】
続いて、採尿バッグ１２内を空にするための尿排出について説明する。医療スタッフは、尿排出の準備作業として、病室の壁面に設けられた吸引装置のガス吸引ポート（図示省略）と吸引用コネクタ６３との間にホースを接続し、ガス吸引管６１を吸引装置に接続する。医療スタッフは、採尿バッグ１２の計量を実行した後に、吸引側開閉弁６４を開状態に切り替え、フック３１に採尿バッグ１２を引っ掛けた支持状態のまま採尿バッグ１２の排出チューブ１２ａに設けられた栓部材（例えばスライドクランプ）を操作して排出チューブ１２ａを開状態にする。
【００３６】
そうすると、図３（ａ）に示すように、貯留容器２１内のガスがガス吸引ポートから吸引装置に吸引され、貯留容器２１内が負圧になる。そして、受入部材３５の受入口３５ａから周囲の空気が吸引される。そのため、採尿バッグ１２から受入部材３５に落下した尿は速やかに貯留容器２１に導入される。採尿バッグ１２内の尿が全て排出されると、医療スタッフは、採尿バッグ１２の排出チューブ１２ａの出口、及び、受入部材３５の内面に、除菌を行うために消毒液を掛ける。掛けた消毒液は、受入口３５ａから吸引されて貯留容器２１に導入される。この吸引の後、医療スタッフは、排出チューブ１２ａ及び吸引側開閉弁６４をそれぞれ閉状態に戻す。なお、ケーシング３０は、消毒液を貯留したノズル付の容器を載せている。
【００３７】
以上の動作によって、採尿バッグ１２の計量と採尿バッグ１２からの尿排出とが終了する。医療スタッフは、フック３１から採尿バッグ１２を取り外して、患者がもともと採尿バッグ１２を引っ掛けていた位置に戻す。医療スタッフは、別の患者の採尿バッグ１２に対しても同様に、採尿バッグ１２の計量と採尿バッグ１２からの尿排出とを行う。
【００３８】
医療スタッフは、貯留容器２１に尿が溜まると、貯留容器２１内の尿を排出させる作業を行う。この準備作業として、医療スタッフは、排水栓に排水カプラ５６を接続する。そして、この状態で、医療スタッフは第１三方弁６５を第１状態へ切り替える。そうすると、図３（ｂ）に示すように、圧力タンク７０内の圧縮ガスが、ガス導入管６２を介して貯留容器２１へ供給され、圧縮ガスによって貯留容器２１内の尿が加圧されて排液管５５から排出される。貯留容器２１内の全ての尿が排出されると、医療スタッフは第１三方弁６５を第２状態へ戻す。
【００３９】
続いて、貯留容器２１内を洗浄する洗浄動作について説明する。この準備作業として、医療スタッフは、給水栓に給水カプラ７６を接続し、図４（ａ）に示すように、入口側コネクタ４５から受入部材３５を取り外した後に、ホース５７ａを伸ばして洗浄用コネクタ７８を入口側コネクタ４５に接続する。
【００４０】
そして、この状態で、医療スタッフは水道栓を開く。そうすると、図４（ａ）に示すように、水道栓から供給された水が、洗浄用分岐管５７及び液導入管５０を通って貯留容器２１に流入する。これにより、液導入管５０が洗浄される。続いて、医療スタッフが第２三方弁７７を第１状態に切り替えると、図４（ｂ）に示すように、水道栓から供給された水が、洗浄用主管５２を通って散水器６０から散水される。これにより、貯留容器２１の内面が洗浄される。また、貯留容器２１に溜まった水は、図３（ｂ）に示すように、医療スタッフが第１三方弁６５を第１状態に切り替えることで排液管５５から排出される。
【００４１】
［３．実施形態の効果等］
本実施形態では、採尿バッグ１２の重量を計量する時の支持状態で、採尿バッグ１２から排出させた尿を貯留容器２１に導入することができる。従って、医療スタッフが採尿バック１２内の尿を手作業で何らかの容器に移し替える必要がない。本実施形態によれば、採尿バッグ１２の重量計測が可能な装置において、採尿バッグ１２から尿を排出させる作業を容易化させることができる。
【００４２】
また、本実施形態では、ガス吸引管６１を接続した吸引装置によって貯留容器２１内のガスを吸引することで、貯留容器２１内を負圧にして受入部材３５の受入口３５ａから空気を吸引させる。従って、貯留容器２１内を負圧しない場合に比べて、採尿バッグ１２から受入部材３５に落下した尿を速やかに貯留容器２１に導入することができる。なお、吸引装置として、病室の壁面に設けられたガス吸引ポートからガスを吸引する外部の吸引装置を用いてもよいし、排尿計量装置１０に吸引装置を搭載してもよい。
【００４３】
また、本実施形態では、上方に向かって広がる形状に形成された受入部材３５が、支持状態の採尿バッグ１２の排出チューブ１２ａの下方において排出チューブ１２ａに接触しない高さに配置されている。そのため、採尿バッグ１２の排出チューブ１２ａが受入部材３５に接触して受入部材３５上の細菌が排出チューブ１２ａに付着することを避けることができるため、採尿バッグ１２を衛生的に継続使用することができる。
【００４４】
また、本実施形態では、洗浄用主管５２から分岐した洗浄用分岐管５７の洗浄用コネクタ７８に対し、受入部材３５が取り外された状態の液導入管５０の入口端を接続することで、洗浄用分岐管５７を介して液導入管５０に洗浄用の液体を供給することができる。これにより、液導入管５０内を洗浄することができる。
【００４５】
［４．実施形態の変形例１］
図５を参照しながら、実施形態の変形例１について説明する。
【００４６】
本変形例では、図５（ａ）に示すように、貯留容器２１に液面センサー８１（例えば、フロートセンサー）が設けられている。液面センサー８１には、報知用アラーム８２が接続されている。液面センサー８１は、貯留容器２１の液面が所定の第１水位（例えば、図５（ａ）に示す水位）に到達したことを検知した場合に、報知用アラーム８２に検知信号を出力する。報知用アラーム８２は、検知信号を受信すると警告音を発する。例えば、第１水位は、標準的な寸法の採尿バッグ１２の最大容積に相当する量の尿を貯留容器２１に受け入れる余裕がある高さに設定されている。警告音を聞いた医療スタッフは、採尿バッグ１２からの尿排出が終わってから貯留容器２１内の尿排出が必要であることを把握することができる。
【００４７】
また、フロート弁５８は、第１水位より高い第２水位（例えば、図５（ｂ）に示す水位）に貯留容器２１の液面が到達すると、ガス管５１の一端を閉じるように設けられている。フロート弁５８は、閉鎖機構に相当する。また、第２水位は、貯留容器２１が満水となる手前の閉鎖水位に相当する。なお、閉鎖機構は、ガス管５１の途中に設けた電磁弁（例えば、吸引側開閉弁６４）であってもよい。この場合は、液面センサー８１よりも上側に設けられた第２液面センサーからの検知信号を受けると、電磁弁が閉状態に切り替わる。
【００４８】
また、本変形例では、貯留容器２１とガス管５１とを接続する臨時接続管８５が設けられている。貯留容器２１では、臨時接続管８５の一端が第２水位よりも上方に開口している。臨時接続管８５の他端は、ガス管５１において閉鎖機構より吸引用コネクタ６３側に接続している。臨時接続管８５には、臨時開放弁８６（開放機構）が設けられている。臨時開放弁８６は、プッシュ式の開閉弁であり、操作部が手で押されている間は開状態となり、手が操作部から離れると閉状態となる。なお、臨時開放弁８６は、プッシュ式に限定されず、ツマミを回して開閉を切り替えるものであってもよい。
【００４９】
また、本変形例では、ガス管５１に負圧メーター８８が接続されている。液導入管５０には導入側開閉弁８４が設けられている。また、上述の実施形態とは異なり、洗浄用主管５２が分岐しておらず洗浄用分岐管５７は設けられていない。また、圧力タンク７０は、互いに並列に複数個設けられている。この場合に、貯留容器１２の液面を加圧するために圧縮ガスを放出する圧力タンク７０を選択できるように、開閉弁及びその操作部を設けてもよい。
【００５０】
続いて、本変形例の排尿計量装置１０の使用方法について説明する。なお、採尿バッグ１２の計量は上述の実施形態と同じであり、採尿バッグ１２からの尿排出は開始時に導入側開閉弁８４を閉状態から開状態に切り替える点を除いて上述の実施形態と同じである。以下では、上述の実施形態とは異なる点として、液面センサー８１が故障した異常時の使用方法について説明する。
【００５１】
ここで、液面センサー８１が故障しても、貯留容器２１の液面が第２水位となった時に、フロート弁５８によってガス管５１の入口が閉じられる。そのため、貯留容器２１内のガス吸引は停止され、さらに液導入管５０から貯留容器２１への尿の導入も停止状態となる。この停止状態では、液導入管５０に尿が残っている。医療スタッフは、採尿バッグ１２からの尿の排出も停止されるため、異常が生じたことを知ることができる。
【００５２】
そして、停止状態で医療スタッフが、排出チューブ１２ａを閉状態にして臨時開放弁８６を開状態にすると、臨時接続管８５を通じて、吸引用コネクタ６３に接続された吸引装置に対し貯留容器２１が連通する。その結果、図５（ｂ）に示すように、吸引装置によって貯留容器２１内のガスが再び吸引されて、液導入管５０に残った尿が貯留容器２１に導入される。なお、第２水位は、液導入管５０の内容積に相当する量の尿を貯留容器２１に受け入れる余裕がある高さに設定されている。
【００５３】
本変形例によれば、液面センサー８１によって医療スタッフが貯留容器２１が満水に近づいていることを把握できる排尿計量装置１０において、液面センサー８１の故障時に、フロート弁５８によって貯留容器２１が溢れることを阻止でき、且つ、液導入管５０に尿が残った状態にすることなく貯留容器２１からの尿排出を行うことができる。
【００５４】
［５．実施形態の変形例２］
図６−７を参照しながら、実施形態の変形例２について説明する。
【００５５】
本変形例では、図６に示すように、排尿計量装置１０が電動ポンプ２４を備えている。電動ポンプ２４は、貯留容器２１内のガスを吸引したり、貯留容器２１内の液面を加圧したりするために用いられる。電動ポンプ２４には、ケーシング３０に収容された充電式のバッテリー２３が接続されている。
【００５６】
電動ポンプ２４は、吐出ポートにガス導入管６２の一端が接続され、吸入ポートにガス吸引管６１の一端が接続されている。ガス導入管６２の他端、及び、ガス吸引管６１の他端は、ガス管５１の分岐箇所にそれぞれ接続されている。
【００５７】
ガス導入管６２の途中には、第１切替機構４３を介して排気管４２が接続されている。排気管４２には脱臭フィルター４１（例えば、活性炭を用いたフィルター）が設けられている。第１切替機構４３には、三方弁が用いられている。第１切替機構４３は、電動ポンプ２４の吐出ポートが貯留容器２１に連通する第１状態と、電動ポンプ２４の吐出ポートが排気管４２に連通する第２状態とを切り替える。
【００５８】
ガス吸引管６１の途中には、第２切替機構５３を介して吸気管５４が接続されている。第２切替機構５３には、三方弁が用いられている。第２切替機構５３は、電動ポンプ２４の吸入ポートが貯留容器２１に連通する第１状態と、電動ポンプ２４の吸入ポートが吸気管５４に連通する第２状態とを切り替える。
【００５９】
また、ガス管５１には、変形例１と同様に、臨時開放弁８６が設けられた臨時接続管８５が接続されている。本変形例では、臨時接続管８５が、ガス吸引管６１における分岐箇所と第２切替機構５３との間に接続されている。ガス吸引管６１には、負圧メーター８８が接続されている。
【００６０】
続いて、本変形例の排尿計量装置１０の使用方法について説明する。なお、採尿バッグ１２の計量は上述の実施形態と同じである。以下では、上述の実施形態とは異なる点として、採尿バッグ１２からの尿排出と貯留容器２１からの尿排出とについて説明する。
【００６１】
まず、採尿バッグ１２からの尿排出について説明する。採尿バッグ１２の計量の終了後、医療スタッフは、電動ポンプ２４のスイッチをＯＮに切り替えると共に、支持状態のまま採尿バッグ１２の排出チューブ１２ａを開状態にする。また、第１切替機構４３は第２状態に、第２切替機構５３は第１状態に設定する。
【００６２】
そうすると、図７（ａ）に示すように、貯留容器２１内のガスがガス吸引管６１を介して電動ポンプ２４に吸引される。電動ポンプ２４に吸引されたガスは、吐出ポートから吐出されて、脱臭フィルター４１を通って排気管４２から系外に排出される。貯留容器２１内が負圧になり、上述の実施形態と同様に、採尿バッグ１２から受入部材３５に落下した尿は速やかに貯留容器２１に導入される。採尿バッグ１２内の尿が全て排出されると、医療スタッフは、採尿バッグ１２の排出チューブ１２ａの出口、及び、受入部材３５の内面に、除菌を行うために消毒液を掛ける。
【００６３】
次に、貯留容器２１からの尿排出について説明する。医療スタッフは、準備作業として、排水栓に排水カプラ５６を接続する。そして、この状態で、医療スタッフは、第１切替機構４３を第１状態へ切り替えると共に、第２切替機構５３を第２状態へ切り替える。そうすると、図７（ｂ）に示すように、電動ポンプ２４が吸気管５４から空気を吸入し、吸入した空気を吐出する。電動ポンプ２４の吐出ガスは、ガス導入管６２を介して貯留容器２１へ供給され、貯留容器２１内の尿が加圧されて排液管５５から排出される。貯留容器２１内の全ての尿が排出されると、医療スタッフは電動ポンプ２４を停止する。
【００６４】
なお、液面センサー８１が故障した異常時は、上述の変形例１と同様に、医療スタッフが、排出チューブ１２ａを閉状態にして臨時開放弁８６を開状態にすると、臨時接続管８５を通じて電動ポンプ２４の吸入ポートに対し貯留容器２１が連通し、液導入管５０に残った尿が貯留容器２１に導入される。
【００６５】
なお、図８に示すように、貯留容器２１内のガスの吸引と貯留容器２１内の液面の加圧とのうち貯留容器２１内の液面の加圧だけに電動ポンプ２４を用いるように、排尿計量装置１０を構成してもよい。また、貯留容器２１内のガスの吸引だけに電動ポンプ２４を用いるように、排尿計量装置１０を構成してもよい。
【産業上の利用可能性】
【００６６】
本発明は、患者の排尿量の管理等に用いられる排尿計量装置等に適用可能である。
【符号の説明】
【００６７】
１０    排尿計量装置
１２    採尿バッグ
１２ａ  排出チューブ
２０    計量装置（計量部）
２１    貯留容器
３０    ケーシング
３１    フック（支持部）
３５    受入部材
３５ａ  受入口
４５    入口側コネクタ
５０    液導入管
５５    排液管
【図１】
2018083053.tif 000003
【図２】
2018083053.tif 000004
【図３】
2018083053.tif 000005
【図４】
2018083053.tif 000006
【図５】
2018083053.tif 000007
【図６】
2018083053.tif 000008
【図７】
2018083053.tif 000009
【図８】
2018083053.tif 000010